(57)【要約】【課題】略フラット面に形成した下枠上面のスライド溝に障子下框の室外側よりから垂下した垂下片を嵌入した召合部の止水構造において、外障子底部及び内障子下框垂下片部分の止水性に優れた屋外用下枠フラットの引き違い障子召合部の止水構造を提供することを目的とする。【解決手段】建築物の屋外開口部に備えられた引き違い障子の外障子及び内障子の下框室外側より垂下片を垂下させ、略フラット面に形成した下枠上面に細い条状の外障子スライド溝及び内障子スライド溝を設け、それぞれ垂下片を嵌入させた召合部の止水構造において、外障子底部及び内障子下框垂下片下端部に対しては略垂直方向に植毛したモヘアで止水し、内障子下框垂下片の室外側側面部は略水平方向に植毛したモヘアにて止水した。【選択図】  図２
2004300730.tif 000002
【特許請求の範囲】
【請求項１】
建築物の屋外開口部に備えられた引き違い障子の外障子及び内障子の下框室外側より垂下片を垂下させ、略フラット面に形成した下枠上面に細い条状の外障子スライド溝及び内障子スライド溝を設け、それぞれ垂下片を嵌入させた召合部の止水構造において、外障子底部及び内障子下框垂下片下端部に対しては略垂直方向に植毛したモヘアで止水し、内障子下框垂下片の室外側側面部は略水平方向に植毛したモヘアにて止水したことを特徴とする引き違い障子召合部の止水構造。
【請求項２】
召合部にて外障子底部と下枠上面との間を止水する略垂直方向に植毛したモヘアのベース部室内側に切り欠き凹部を形成し、この切り欠き凹部から略水平方向に植毛したモヘアを配置して、内障子下框垂下片の室外側を止水したことを特徴とする請求項１記載の引き違い障子召合部の止水構造。
【請求項３】
下枠の外障子用戸車走行部を設けている立ち上がり片と内障子用戸車走行部を設けている立ち上がり片との間にレール間凹部を形成し、召合部位置のレール間凹部にモヘアを設けた止水部材を嵌合し、止水部材のベース部の側面から底面にかけて連続する微小ヒレ部を設けてレール間凹部との間を止水したことを特徴とする請求項１又は請求項２記載の引き違い障子召合部の止水構造。
【発明の詳細な説明】
【０００１】
【発明の属する技術分野】
本発明は、建築物の屋外開口部に備えられる、下枠上面を略フラットに形成し、障子下框から垂下した垂下片を、下枠上面のスライド溝に嵌入した引き違い障子の召合部の止水構造に関する。
【０００２】
【従来の技術】
本出願人は、下枠上面を略フラットに形成し、この下枠上面に細い条状の障子スライド溝を形成し、この障子スライド溝に障子下框から垂下させた垂下片を嵌入したバリアフリーサッシ構造について先に提案している（特開２００２−２１３１５６号公報）。
【０００３】
このような下枠上面を略フラットにしたバリアフリー構造とした場合に、障子戸の側面等につたわって落下してくる雨水は下枠上面に流れ込み、さらにこのスライド溝からこの下に設けた下枠凹部に流れ込むようになっている。
外障子用と内障子用の両方の下枠凹部に流れ込んだ雨水は、その下に設けた下枠の中空部に一旦落としこんだ後に排水弁を介して屋外に排水される。
【０００４】
このように、下枠上面に設けたスライド溝が排水溝としても作用し、その下の下枠凹部に多量の雨水が流れ込むが、内障子用下枠凹部は内障子がスライドするので室外部と室内部とが連通することになる。
そこで、障子召合部の位置を境にして、室外部と室内部を仕切る召合止水部材が必要となる。
【０００５】
しかしながら、この召合位置においては下枠排水凹部のみならず、下枠上面と外障子底部及び内障子下框垂下片下端部、内障子下框垂下片の室外側側面部も止水しなければならず、従来用いられてきた略垂直方向にモヘアを植毛した止水構造では水密性が不充分であった。
【０００６】
【特許文献１】
特開２００２−２１３１５６号公報
【０００７】
【発明が解決しようとする課題】
本発明は、上記技術的課題に鑑みて、略フラット面に形成した下枠上面のスライド溝に障子下框の室外側よりから垂下した垂下片を嵌入した召合部の止水構造において、外障子底部及び内障子下框垂下片部分の止水性に優れた屋外用下枠フラットの引き違い障子召合部の止水構造を提供することを目的とする。
【０００８】
【課題を解決するための手段】
請求項１記載の発明は、建築物の屋外開口部に備えられた引き違い障子の外障子及び内障子の下框室外側より垂下片を垂下させ、略フラット面に形成した下枠上面に細い条状の外障子スライド溝及び内障子スライド溝を設け、それぞれ垂下片を嵌入させた召合部の止水構造において、外障子底部及び内障子下框垂下片下端部に対しては略垂直方向に植毛したモヘアで止水し、内障子下框垂下片の室外側側面部は略水平方向に植毛したモヘアにて止水した。
【０００９】
これにより、外障子底部と内障子下框垂下片下端部は略垂直方向に植毛したモヘアで止水しつつ、従来止水が困難であった内障子下框垂下片の室外側側壁は略水平方向に植毛したモヘアで止水することが可能になる。
【００１０】
特に、垂直方向のモヘアと略水平方向のモヘアの配置方法として、外障子底部と下枠上面との間を止水する略垂直方向に植毛したモヘアのベース部室内側に切り欠き凹部を形成し、この切り欠き凹部から略水平方向に植毛したモヘアを配置して、内障子下框垂下片の室外側を止水する構造にした。
【００１１】
外障子底部と下枠上面との間を止水する垂直方向に植毛したモヘアのベース部室内側に切り欠き凹部を形成して、内障子下框垂下片の室外側を止水する略水平方向に植毛したモヘアを配置するとは、略水平方向に植毛したベース部の上部には、植毛の基底部があり垂直方向のモヘアを直接植毛できないことから、ベース部切り欠き凹部の凹み部に水平方向の植毛の基底部を配置することを意味する。
従って、略水平方向の植毛の基底部の左右前後（下枠長手方向前後）には、略垂直方向に植毛されたモヘアがクロスして存在する。
これにより、垂直方向と水平方向の止水が確実になる。
【００１２】
また、下枠の外障子用戸車走行部を設けている立ち上がり片と内障子用戸車走行部を設けている立ち上がり片との間にレール間凹部を形成し、側面から底面にかけて連続する微小ヒレ部を設けたベース部を、レール間凹部へ嵌合する構造とすることで、ベース部とレール間凹部の内壁との間の隙間は微小ヒレ部がその弾性を有して変形しシールするため、止水が確実になる。
【００１３】
【発明の実施の形態】
本発明に係る止水構造を適用したサッシの縦断面図を図１に示す。
建築物の躯体開口部に下枠１０、上枠２０及び室内から室外側に向かって右縦枠（図示省略）、左縦枠（図示省略）にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【００１４】
外障子５０は、外障子の下框５１の室外側よりから外障子下框垂下片５１ｅが垂下され、下枠１０上面に形成した外障子用スライド溝１３ａに嵌入するようになっている。
内障子６０は、内障子の下框６１の室外側よりから内障子下框垂下片６１ｅが垂下され、下枠１０上面に形成した内障子用スライド溝１３ｂに嵌入するようになっている。
下枠には外障子用擬似レール１９ａを上端に設けている立ち上がり片１０４及び内障子用擬似レール１９ｂを上端に設けている立ち上がり片１０３が設けられている。
立ち上がり片１０４と立ち上がり片１０３は、下枠の間にレール間凹部５を形成し、レール間凹部５には上面部材１５ａが嵌入している。
上面部材１５ａと立ち上がり片１０３の間のレール間凹部５内には内障子下枠排水凹部１４ｂが形成されている。
本実施例においては、外障子下框の垂下片が室外側よりからのみ垂下され、内障子も内障子下框の室外側よりからのみ垂下片を垂下させた構造になっている
【００１５】
図３に下枠を上から見た模式図を示す。
図３では外障子と内障子の位置を方形の枠で示し、室内側と室外側の区分を示している。
レール間凹部５の障子召合部１５の位置には止水部材８０が設けられ、レール間凹部５の室内外間を止水している。
【００１６】
図２に止水部材の構造の斜視図を示す。
止水部材８０のベース部８１は、レール間凹部５に嵌合する形状に形成されている。
止水部材のレール間凹部への嵌合状態については後述する。
ベース部８１の室内側には階段状に段差が設けられ中段１０２を形成し、取り付け状態で内障子下框垂下片がスライド走行するスライド溝の一部を構成する。
モヘア８２は、ベース部８１の上段１０１の中央のモヘアホルダー９３に取り付けられた基底部８２ａを介して略垂直に植毛されている。
モヘア８４は、中段１０２に設けられているモヘアホルダー９４に取り付けられた基底部８４ａを介して略垂直に植毛されている。
モヘア８３は、ベース部８１の室内側に切り欠き凹部８１ａを形成して切り欠き凹部８１ａの凹み内に基底部８３ａを取り付け、その切り欠き凹部８１ａから略水平方向に植毛されている。
【００１７】
止水部材の切り欠き凹部位置の下枠部分の断面端面図を図４に示す。
下枠の立ち上がり片１０４上端には外障子戸車５１ｃが走行する擬似レール１９ａ（戸車走行部）が設けられ、立ち上がり片１０３上端には内障子戸車６１ｃが走行する擬似レール１９ｂ（戸車走行部）が設けられている。
下枠１０には、立ち上がり片１０３と立ち上がり片１０４にてレール間凹部５が形成され、レール間凹部５には止水部材８０のベース部８１が嵌着されている。
止水部材８０は、ベース部８１によりレール間凹部５の室内外間の止水を行い、モヘア８２は外障子底部５０ａに摺接して室内外間の止水を行っている。
モヘア８３は内障子下框垂下片６１ｅの室外側側面６１ｈに摺接して室内外間の止水を行い、モヘア８４は内障子下框垂下片下端６１ｇからタイト材６１ｆにかけて摺接して召合部が止水される。
従来、止水が困難であった内障子下框垂下片６１ｅの室外側側面６１ｈは、略水平方向に植毛したモヘア８３で止水すると同時にその前後方向に垂直方向に植毛されたモヘア８１１、８１２が存在するのでモヘア基底部から雨水が漏れるのを防止している。
なお、モヘア８３はモヘア８４ともクロスする状態で止水されている。
【００１８】
図２に示すようにモヘア８３は、切り欠き凹部８１ａから植毛されることでその働き代は充分な長さとなり、略水平方向に植毛されているモヘア８３の周囲は、凹部状に略垂直方向に植毛されているモヘア８１１、８１２、及び８４により囲まれている。
このため、図４に示すようにモヘア８２は隙間なく外障子下端に摺接するため、良好に止水が行われる。
【００１９】
図２において止水部材８０にはモヘアを保持するガイド部８５ａ、８５ｂ、８５ｃ、８５ｄ、８５ｅ、８５ｆがモヘアの障子スライド方向の側に設けられている。
これにより、モヘアは障子のスライドにより擦られてもガイド部により支えられるため、形状を良好に維持できる。
また、ベース部８１の側面９１ａ及び側面９１ｂから底面９１ｃにかけて、連続する微小ヒレ部８６、８７、８８、８９が設けられている。
この連続する微小ヒレ部を設けたベース部をレール間凹部へ嵌合することで、ベース部とレール間凹部内壁との間の隙間は微小ヒレ部が変形するため解消される。
つまり、微小ヒレ部により連続したシール状態が形成され、止水が確実になる。
【００２０】
【発明の効果】
本発明においては、外障子底部及び内障子下框垂下片下端部に対しては、略垂直方向に植毛したモヘアで止水し、従来止水が困難であった内障子下框垂下片の室外側側面部は略水平方向に植毛したモヘアにて止水できる。
【００２１】
外障子底部と下枠上面との間を止水するモヘアのベース部室内側に切り欠き凹部を形成して、略水平方向に植毛したモヘアを配置することで、略水平方向にモヘアを植毛している部分における止水も略水平方向に植毛されているモヘアの左右前後に略垂直方向に植毛されたモヘアがクロスして存在するため、垂直方向と水平方向の止水が確実にできる。
【００２２】
側面から底面にかけて連続する微小ヒレ部を設けたベース部材を、レール間凹部へ嵌合する構造とすることで、微小ヒレ部が凹部形状になじみ連続したシール状態がベース部材とレール間凹部内壁との間に形成され、止水が確実になる。
【図面の簡単な説明】
【図１】本発明に係る止水構造を適用したサッシの縦断面図を示す。
【図２】止水部材の斜視図を示す。
【図３】下枠を上方から見た模式図を示す。
【図４】止水部材の位置の下枠断面端面図を示す。
【符号の説明】
５      レール間凹部
１０    下枠
１３ａ  外障子用スライド溝
１３ｂ  内障子用スライド溝
１４ｂ  内障子用下枠排水凹部
１５    召合部
１５ａ  上面部材
１９ａ  外障子用擬似レール
１９ｂ  内障子用擬似レール
２０    上枠
５０    外障子
５０ａ  外障子底部
５１    外障子下框
５１ｃ  外障子戸車
５１ｅ  外障子下框垂下片
６０    内障子
６１    内障子下框
６１ｃ  内障子戸車
６１ｅ  内障子下框垂下片
６１ｆ  内障子下框タイト材
６１ｇ  内障子下框垂下片下端部
６１ｈ  内障子下框垂下片室外側側面部
７０    網戸
８０    止水部材
８１    ベース部
８１ａ  切り欠き凹部
８２、８３、８４  モヘア
８２ａ、８３ａ、８４ａ  モヘア基底部
８５ａ、８５ｂ、８５ｃ、８５ｄ、８５ｅ、８５ｆ  モヘアガイド部
８６、８７、８８、８９  微小ヒレ部
９１ａ、９１ｂ  ベース部側面
９１ｃ  ベース部底面
９３、９４  モヘアホルダー
１０１  ベース部上段
１０２  ベース部中段
１０３、１０４  立ち上がり片
８１１、８１２  モヘア
【図１】
2004300730.tif 000003
【図２】
2004300730.tif 000004
【図３】
2004300730.tif 000005
【図４】
2004300730.tif 000006